(57)【特許請求の範囲】
【請求項１】
地表面に直接配置される押圧体と、この押圧体の上表面に接着固定された台座とからなるグラウンドアンカーの受圧板であって、地表面に形成された掘削孔の孔軸が、その地表面の垂直方向に対して一定のずれ角度を有するとき、前記受圧板が地表面に配置されたときにこの地表面と平行となる前記押圧体の上表面に対して前記台座の上表面が第１の角度を有する傾斜面となるように台座が形成され、かつ、押圧体の上表面の垂直方向の軸回りに第２の角度だけ回転した状態で台座が押圧体に接着固定され、この状態で台座と押圧体とを貫通する貫通孔が前記台座の上表面に対して垂直方向に形成されてなり、この受圧板を一定のずれ角を有する掘削孔上の地表面に配置したとき、この掘削孔の孔軸と前記貫通孔の孔軸とが一致するように前記第１の角度と第２の角度とが設定されていることを特徴とするグラウンドアンカーの受圧板。
【請求項２】
地表面に直接配置される押圧体と、この押圧体の上表面に接着固定された台座とからなるグラウンドアンカーの受圧板であって、
地表面に対して左右方向をｘ軸、上下方向をｙ軸、垂直方向をｚ軸とするとき、その地表面に形成された掘削孔の孔軸が、ｙ−ｚ平面におけるｚ軸に対してα°、ｘ−ｚ平面におけるｚ軸に対してβ°のずれ角を有するとき、
前記受圧板が地表面に配置されたときにこの地表面と平行となる前記押圧体の上表面に対して前記台座の上表面が第１の角度γ°を有する傾斜面となるように台座が形成され、かつ、押圧体の上表面の垂直方向の軸回りに第２の角度θ°だけ回転した状態で台座が押圧体に接着固定され、この状態で台座と押圧体とを貫通する貫通孔が前記台座の上表面に対して垂直方向に形成されてなり、かつ前記θおよびγが下式、
θ＝ｔａｎ−１（ｔａｎβ／ｔａｎα）
γ＝ｔａｎ−１（ｔａｎ２  β／ｔａｎ２  α）１／２  
を満足するように設定されていることを特徴とするグラウンドアンカーの受圧板。
【請求項３】
前記押圧体として、四角形状の板体を順次積層して形成された積層体、又は、複数の長方形の板体を順次積層して、上からみたときの形状が十字状になっている積層体を用いていることを特徴とする請求項１又は請求項２に記載のグラウンドアンカーの受圧板。
【発明の詳細な説明】
【０００１】
【発明の属する技術分野】
本発明は、地中に設けられた掘削孔内に挿入された引張材を地表面に固定する際に用いられるグラウンドアンカーの受圧板に関するものである。
【０００２】
【従来の技術】
斜面の崩壊防止や地滑り防止のためにグラウンドアンカー工法が用いられる。この工法は、図４に示すように、斜面１０１に地中の滑り線１０２を越えて良質地盤１０３内に達する掘削孔１０４を形成し、この掘削孔１０４内にＰＣ銅線等のグラウンドアンカーの引張材１０５を挿入し、この引張材１０５の先端を良質地盤１０３にセメント等のグラウト材１０６で固定し、引張材１０５を緊張状態で引張材１０５の頭部１０７を受圧板１０８に固定することにより、滑り土塊１０９を良質地盤１０３に締め付けて斜面１０１を安定化させるものである。受圧板１０８は、この引張材１０５を斜面１０１の表面に定着するときに用いる敷板のことであり、緊張定着された力を地中に分散させる効果を有する。
【０００３】
従来の受圧板の一例としては、特開平６−１０８４６５号公報に開示されている受圧板がある。図５は、この従来の受圧板の一例を示す斜視図であり、図６は、図５のＣ−Ｃ線断面説明図である。
【０００４】
受圧板１２０は、長方形の板体が縦横に十字状に順次積み重ねて構成されている積層体１２１と、積層体１２１の最上部に積載された略正方形の板体（以下、「最上板体」という）１２２とからなる。この積層体１２１および最上板体１２２は、ガラスロービング長繊維にて補強された硬質発泡ウレタンで形成されている。また、積層体１２１を構成する板体の中央部には幅方向に板厚の１／２の深さの溝１２１ａが形成されており、この溝１２１ａは積層体１２１を構成する板体を十字状に積層するときの、縦横交差部の相決り用の溝となっている。さらに、受圧板１２０には、積層体１２１および最上板体１２２を貫通する貫通孔１２３が形成されている。グラウンドアンカー工法によって滑り土塊を良質地盤に締め付ける際には、引張材を貫通孔１２３に挿入し、最上板体の１２２の貫通孔１２３の周縁部に引張材の頭部を引張固定すればよい。
【０００５】
【発明が解決しようとする課題】
しかしながら、上記従来の受圧板１２０に設けられた貫通孔１２３の孔軸は積層体１２１の表面に対して垂直であるため、掘削孔の孔軸が斜面に対して垂直にしなかった場合は、掘削孔の孔軸に対して貫通孔の孔軸が平行にならないといった問題がある。この問題について、以下により詳細に述べる。
【０００６】
図７は、斜面と、この斜面に配置した状態の受圧板とを鉛直方向に切断した状態を示す断面図であり、図７（ａ）は掘削孔が斜面に対して垂直に形成されている場合の断面図であり、図７（ｂ）は掘削孔が斜面に対して垂直に形成されていない場合の断面図である。また、図８は、斜面と、この斜面に配置した状態の受圧板とを水平方向に切断した状態を示す断面図であり、図８（ａ）は掘削孔が斜面に対して垂直に形成されている場合の断面図であり、図８（ｂ）は掘削孔が斜面に対して垂直に形成されていない場合の断面図である。
【０００７】
図７（ａ）に示すように、斜面１０１は水平方向に対してθ２の傾斜角度となっており、この傾斜角度θ２の斜面１０１に対して垂直な方向に掘削孔１０４を形成している。このような斜面１０１に受圧板１０８を配置した場合には、受圧板１０８の貫通孔１０８ａの孔軸Ｌ１と掘削孔１０４の孔軸Ｌ２とが一致する。従って、先端を掘削孔１０４に挿入固定した引張材（図示せず）の頭部を、受圧板１０８に固定した際、引張材の頭部が受圧板１０８の表面に垂直方向に圧接されるため、安定した締め付け状態となる。しかし、図７（ｂ）に示すように、斜面１０１や地中の状況によっては、掘削孔１０４を斜面１０１に対して垂直な方向に形成することができず、例えば傾斜１０１の垂線に対して角度θ１１の傾斜角度でもって掘削孔１０４を形成する場合がある。このような斜面１０１に受圧板１０８を配置した場合は、受圧板１０８の貫通孔１０８ａの孔軸Ｌ１と掘削孔１０４の孔軸Ｌ２とが一致しない状態となる。従って、先端を掘削孔１０４に挿入固定した引張材の頭部を受圧板１０８に固定した際、貫通孔１０８ａの孔軸Ｌ１と引張材の長さ方向（図示せず）とが一致しないので、引張材の頭部が受圧板１０８の表面に垂直方向に圧接されないことになる。つまり、引張材の頭部に、受圧板１０８の表面に対して、図７（ｂ）中矢符Ｒ方向にずれようとする力が働くため、受圧板１０８を斜面１０１に安定的に固定することができないといった問題がある。
【０００８】
また、図８（ａ）に示すように、斜面１０１が水平方向にカーブしている場合には、掘削孔１０４を斜面１０１に垂直に形成すると複数の掘削孔１０４が地中で互いに交差してしまうので、図８（ｂ）に示すように、複数の掘削孔１０４を同一水平面内で平行となるように形成する。その結果、図７（ｂ）を用いて説明した場合と同様に、受圧板１０８の貫通孔１０８ａの孔軸Ｌ１と引張材の長さ方向（図示せず）とが一致しない掘削孔（図中左側の貫通孔）１０４では、引張材の頭部が受圧板１０８の表面に垂直方向に圧接されないことになる。
【０００９】
本発明は、以上のような問題を解決するためになされたものであり、掘削孔の孔軸に対する貫通孔の孔軸を平行にすることによって、引張材の長さ方向と貫通孔の孔軸とを一致させることができるグラウンドアンカーの受圧板を提供することを目的とする。
【００１０】
【課題を解決するための手段】
本発明のグラウンドアンカーの受圧板は、地表面に直接配置される押圧体と、この押圧体の上表面に接着固定された台座とからなるグラウンドアンカーの受圧板であって、地表面に形成された掘削孔の孔軸が、その地表面の垂直方向に対して一定のずれ角度を有するとき、前記受圧板が地表面に配置されたときにこの地表面と平行となる前記押圧体の上表面に対して前記台座の上表面が第１の角度を有する傾斜面となるように台座が形成され、かつ、押圧体の上表面の垂直方向の軸回りに第２の角度だけ回転した状態で台座が押圧体に接着固定され、この状態で台座と押圧体とを貫通する貫通孔が前記台座の上表面に対して垂直方向に形成されてなり、この受圧板を一定のずれ角を有する掘削孔上の地表面に配置したとき、この掘削孔の孔軸と前記貫通孔の孔軸とが一致するように前記第１の角度と第２の角度とが設定されているものである。
【００１１】
本発明のグラウンドアンカーの受圧板は、地表面に直接配置される押圧体と、この押圧体の上表面に接着固定された台座とからなるグラウンドアンカーの受圧板であって、地表面に対して左右方向をｘ軸、上下方向をｙ軸、垂直方向をｚ軸とするとき、その地表面に形成された掘削孔の孔軸が、ｙ−ｚ平面におけるｚ軸に対してα°、ｘ−ｚ平面におけるｚ軸に対してβ°のずれ角を有するとき、前記受圧板が地表面に配置されたときにこの地表面と平行となる前記押圧体の上表面に対して前記台座の上表面が第１の角度γ°を有する傾斜面となるように台座が形成され、かつ、押圧体の上表面の垂直方向の軸回りに第２の角度θ°だけ回転した状態で台座が押圧体に接着固定され、この状態で台座と押圧体とを貫通する貫通孔が前記台座の上表面に対して垂直方向に形成されてなり、かつ前記θおよびγが下式、
θ＝ｔａｎ−１（ｔａｎβ／ｔａｎα）
γ＝ｔａｎ−１（ｔａｎ２  β／ｔａｎ２  α）１／２  
を満足するように設定されているものである。
【００１２】
本発明のグラウンドアンカーの受圧板は、前記押圧体として、四角形状の板体を順次積層して形成された積層体、又は、複数の長方形の板体を順次積層して、上からみたときの形状が十字状になっている積層体を用いている請求項１又は請求項２に記載のものである。
【００１３】
【発明の実施の形態】
次に、本発明のグラウンドアンカーの受圧板について図面を参照しつつ説明する。
【００１４】
図１は本発明のグラウンドアンカーの受圧板の一実施の形態を示す説明図である。図１（ａ）はグラウンドアンカーの受圧板を示す平面図であり、同図（ｂ）は同図（ａ）中白抜きの矢符３１の方向から見た側面図、同図（ｃ）は同図（ａ）中白抜きの矢符３２の方向から見た正面図である。また、図２は、図１（ａ）に示す受圧板のＡ−Ａ線断面説明図である。また、図１（ａ）中、横方向をｘ軸、縦方向をｙ軸、紙面に対して垂直な方向をｚ軸とし、ｚ軸およびｘ軸を含むｚ−ｘ平面を第１の平面Ｓ１とし、ｙ軸およびｚ軸を含むｙ−ｚ平面を第２の平面Ｓ２とし、ｚ軸および貫通孔３の孔軸Ｌ１を含む平面（Ａ−Ａ線断面）、すなわち本実施の形態においては第１の平面Ｓ１をｚ軸を中心軸として右回りに４５°回転させた平面を第３の平面Ｓ３とし、ｚ軸に平行でありかつ第３の平面Ｓ３に垂直な面、すなわち本実施の形態においては第１の平面Ｓ１をｚ軸を中心軸として右回りに１３５°回転させた平面を第４の平面Ｓ４とする。すなわち、図１（ａ）中白抜きの矢符３１の方向は第１の平面Ｓ１に平行であり、白抜きの矢符３２の方向は第２の平面Ｓ２に平行である。
【００１５】
本発明のグラウンドアンカーの受圧板は、地表面に直接配置される押圧体と、この押圧体の上表面（すなわち一番上の板体１ａの表面）に接着固定された台座２とから構成されている。本実施の形態においては、押圧体として、例えば四角形状の板体１ａ、１ｂ、１ｃを順次積層して形成された積層体１を用いている。この積層体１および台座２の材料は、ガラス長繊維補強熱硬化性樹脂発泡体であり、台座２は、ガラス繊維の長さ方向が積層体１の上表面に垂直になるように配置されている。また、積層体１および台座２には、積層体１と台座２とを貫通し、孔軸Ｌ１が台座２の上表面に対して垂直な貫通孔３が設けられている。
【００１６】
本発明のグラウンドアンカーの受圧板においては、地表面（斜面）に形成された掘削孔（図７および図８参照）がその地表面の垂直方向に対して一定のずれ角度を有するとき、貫通孔３の孔軸Ｌ１と掘削孔の孔軸とが一致するように、貫通孔３を形成している。さらに詳しく述べると、受圧板が地表面に配置されたときにこの地表面と平行となる積層体１の上表面１Ｓに対して台座２の上表面２Ｓが第１の角度γ°を有する傾斜面となるように台座２を形成し、かつ、積層体１の上表面１Ｓの垂直方向（すなわち、ｚ軸方向）の軸回りに第２の角度θ°だけ回転した状態で台座２を積層体１に接着固定している。従って、台座２の全体の形状は六面体形状であり、Ａ−Ａ線断面の形状は台形（図２参照）である。
【００１７】
本実施の形態においては、掘削孔が地表面の垂直方向に対して有するずれ角のうち、第２の平面Ｓ２におけるｚ軸に対するずれ角を第１のずれ角度α°、第１の平面Ｓ１におけるｚ軸に対するずれ角度を第２のずれ角度β°と表す。すなわち、この第１のずれ角度α°および第２のずれ角度β°の値によって、第１の角度γ°および第２の角度θ°が決まる。
【００１８】
次に、前記第１の角度γ°および第２の角度θ°の設定手順について、図３を参照しつつ説明する。図３は、受圧板１０、貫通孔３の孔軸Ｌ１、第１の平面Ｓ１、第２の平面Ｓ２、第３の平面Ｓ３および第４の平面Ｓ４を示す説明図である。ただし、図３は各部の実際の形を表しているわけではなく、主に各部の配置を表している。図３（ａ）は、受圧板１０、貫通孔３の孔軸Ｌ１、第１の平面Ｓ１、第２の平面Ｓ２、第３の平面Ｓ３および第４の平面Ｓ４を示す平面図であり、同図（ｂ）は同図（ａ）中白抜きの矢符３１′の方向から見た側面図、同図（ｃ）は同図（ａ）中白抜きの矢符３２′の方向から見た正面図、同図（ｄ）は同図（ａ）に示す受圧板１０、貫通孔３の孔軸Ｌ１、第１の平面Ｓ１、第２の平面Ｓ２および第４の平面Ｓ４のＢ−Ｂ線断面説明図である。すなわち、図３（ａ）中白抜きの矢符３１′の方向は第１の平面Ｓ１に平行であり、白抜きの矢符３２′の方向は第２の平面Ｓ２に平行であり、Ｂ−Ｂ線断面は第３の平面Ｓ３に平行である。
【００１９】
また、図３中の符号ｈは受圧板１０の厚さを示し、Ｐ１は貫通孔３の台座２側の開口部の位置（以下、「台座側位置」という）を示し、Ｐ２は貫通孔３の積層体１側の開口部の位置（以下、「積層体側位置」という）を示す。さらに、Ｘは第２の平面Ｓ２から台座側位置Ｐ１までの第２の平面Ｓ２に垂直な距離を示し、Ｙは第１の平面Ｓ１から台座側位置Ｐ１までの第１の平面Ｓ１に垂直な距離を示し、Ｚは第４の平面Ｓ４から台座側位置Ｐ１までの第４の平面Ｓ４に垂直な距離を示す。
【００２０】
まず、図３（ｂ）を参照すると、α、Ｙおよびｈの関係はｔａｎα＝Ｙ／ｈと表すことができ、
Ｙ＝ｈ×ｔａｎα                                  ・・・・・・（１）
となる。また、図３（ｃ）を参照すると、β、Ｘおよびｈの関係はｔａｎβ＝Ｘ／ｈと表すことができ、
Ｘ＝ｈ×ｔａｎβ                                  ・・・・・・（２）
となる。また、図３（ａ）を参照すると、Ｚ、ＸおよびＹの関係はＺ＝（Ｘ２  ＋Ｙ２  ）１／２  と表すことができ、上式（１）、（２）を代入して、Ｚをαとβで表すと、
Ｚ＝ｈ×（ｔａｎ２  β＋ｔａｎ２  α）１／２              ・・・・・・（３）
となる。さらに、図３（ｄ）を参照すると、γ、Ｚおよびｈの関係はｔａｎθ＝Ｚ／ｈと表すことができ、
γ＝ｔａｎ−１（Ｚ／ｈ）                            ・・・・・・（４）
となる。再び、図３（ａ）を参照すると、θ、ＸおよびＹの関係はｔａｎθ＝Ｘ／Ｙと表すことができ、
θ＝ｔａｎ−１（Ｘ／Ｙ）                            ・・・・・・（５）
となる。従って、上式（４）、（５）に上式（３）を代入し、θおよびγをαとβとで表すと、
θ＝ｔａｎ−１（ｔａｎβ／ｔａｎα）                ・・・・・・（６）
γ＝ｔａｎ−１（ｔａｎ２  β／ｔａｎ２  α）１／２            ・・・・・・（７）
となる。
【００２１】
つまり、上式（６）、（７）にαおよびβの値を代入することによってθおよびγの値が求まる。従って、積層体１の上表面１Ｓに対する台座２の上表面２Ｓの角度がこの求めたγの値と等しくなるように台座２を形成した後、積層体１の上表面１Ｓの垂直方向（ｚ軸方向）の軸回りにこの求めたθの値と等しい角度だけ回転させた状態で台座２を積層体１に接着固定することによって、受圧板１０を掘削孔上の地表面に配置するだけで、掘削孔の孔軸と貫通孔３の孔軸Ｌ１とを一致させることができる。
【００２２】
なお、本実施の形態においては、上表面の表面積が異なる３枚の板体を大きい方から順次積層して形成した、ピラミッド状の積層体１を用いているが、板体の数および形状はこれに限定されるものではなく、例えば複数の長方形の板体を順次積層して、上から見たときの形状が十字状になっている積層体を使用してもよい。
【００２３】
【発明の効果】
本発明によれば、掘削孔の孔軸が、ｙ−ｚ平面におけるｚ軸に対してα°、ｘ−ｚ平面におけるｚ軸に対してβ°のずれ角を有するときに、ｙ−ｚ平面におけるｚ軸に対してα°、ｘ−ｚ平面におけるｚ軸に対してβ°のずれ角を有する貫通孔が形成された受圧板を得ることができるので、掘削孔が斜面に垂直でない場合においても、グラウンドアンカー工法によって滑り土塊を良質地盤に締め付けることができる。
【００２４】
また、ｙ−ｚ平面におけるｚ軸に対する第１のずれ角度α°と、ｘ−ｚ平面におけるｚ軸に対する第２のずれ角度β°とに基づき、積層体の上表面に対する台座の上表面の第１の角度γ°と、積層体の上表面の垂直方向の軸回りにおける台座の回転角度、すなわち第２の角度θ°とを設定することにより、掘削孔の孔軸と前記貫通孔の孔軸とが一致する受圧板を得ることができるので、工場生産による量産化が可能となり、より安価な受圧板を供給できる。
【００２５】
また、貫通孔に引張材の頭部を引張固定することによって受圧板を斜面に取り付ける際に特別な作業や調整が不要であるため施工性や作業性が良く、取り付け作業にかかる時間を短縮できるため、施工コストを削減することができる。
【図面の簡単な説明】
【図１】本発明のグラウンドアンカーの受圧板の一実施の形態を示す説明図である。
【図２】図１に示す受圧板のＡ−Ａ線断面説明図である。
【図３】受圧板、貫通孔の孔軸、第１の平面、第２の平面、第３の平面および第４の平面を示す説明図である。
【図４】グラウンドアンカー工法によって安定化させた状態の斜面を示す説明図である。
【図５】従来の受圧板の一例を示す斜視図である。
【図６】図５のＣ−Ｃ線断面説明図である。
【図７】斜面と、この斜面に配置した状態の受圧板とを鉛直方向に切断した状態を示す断面図である。
【図８】斜面と、この斜面に配置した状態の受圧板とを水平方向に切断した状態を示す断面図である。
【符号の説明】
１  積層体
１ａ、１ｂ、１ｃ  板体
２  台座
３  貫通孔
【図１】
0003593259.tif 000002
【図２】
0003593259.tif 000003
【図３】
0003593259.tif 000004
【図４】
0003593259.tif 000005
【図５】
0003593259.tif 000006
【図６】
0003593259.tif 000007
【図７】
0003593259.tif 000008
【図８】
0003593259.tif 000009